(57)【特許請求の範囲】
【請求項１】
被写体を撮影した撮影画像に装飾画像を合成した合成画像を形成し、当該合成画像をサーバ装置を介して通信端末に送信する写真画像処理装置であって、
上記装飾画像に対して施された処理であるオプション処理の種類を判別するオプション判別手段と、
ユーザの入力操作を受け付ける操作受付部と、
上記操作受付部が受け付けた入力操作の内容から、ユーザによって指定された通信端末の種類を特定し、上記判別されたオプション処理の種類のうち、上記特定した種類の通信端末にて実行可能な種類のオプション処理を施した状態で、上記合成画像をユーザに提示する提示制御手段と、
上記判別されたオプション処理の種類に関するオプション情報を、上記撮影画像または上記合成画像に対応付けて上記サーバ装置に送信する通信処理手段と、
を備えたことを特徴とする写真画像処理装置。
【請求項２】
上記提示制御手段は、通信端末と当該通信端末にて提示できる上記オプション処理の種類とが対応付けられた機種情報を格納する機種情報データベースから、上記機種情報を取得することにより、上記操作受付部が受け付けた入力操作の内容から特定した種類の通信端末にて実行可能なオプション処理の種類を特定し、
上記通信処理手段は、上記判別されたオプション処理の種類のうち、上記機種情報データベースに含まれる通信端末の少なくとも１機種で実行可能なオプション処理の種類の全てに関するオプション情報を送信することを特徴とする請求項１に記載の写真画像処理装置。
【請求項３】
上記オプション情報は、上記装飾画像を動画像として表示させる情報であることを特徴とする請求項１または２に記載の写真画像処理装置。
【請求項４】
上記オプション情報は、上記合成画像にさらに加えられる装飾画像を表示させる情報であることを特徴とする請求項１または２に記載の写真画像処理装置。
【請求項５】
上記通信処理手段は、上記オプション情報として、上記オプション処理を識別するための識別情報を送信することを特徴とする請求項１〜４の何れか１項に記載の写真画像処理装置。
【請求項６】
上記通信端末は、携帯電話機であることを特徴とする請求項１〜５の何れか１項に記載の写真画像処理装置。
【請求項７】
被写体を撮影して撮影画像に装飾画像を合成した合成画像を形成し、当該合成画像をサーバ装置を介して通信端末に送信する写真画像処理装置の制御方法であって、
上記装飾画像に対して施された処理であるオプション処理の種類を判別するオプション判別ステップと、
ユーザの入力操作を受け付けるステップと、
上記入力操作を受け付けるステップで受け付けた入力操作の内容から、ユーザによって指定された通信端末の種類を特定し、上記判別されたオプション処理の種類のうち、上記特定した種類の通信端末にて実行可能な種類のオプション処理を施した状態で、ユーザに提示する提示制御ステップと、
上記判別されたオプション処理の種類に関するオプション情報を、上記撮影画像または上記合成画像に対応付けて上記サーバ装置に送信する通信ステップと、
を含むことを特徴とする写真画像処理装置の制御方法。
【請求項８】
請求項１〜６の何れか１項に記載の写真画像処理装置が備える上記各手段をコンピュータに実現させる写真画像処理制御プログラム。
【請求項９】
請求項８に記載の写真画像処理制御プログラムを記録したコンピュータ読み取り可能な記録媒体。
【請求項１０】
請求項１〜６の何れか１項に記載の写真画像処理装置と、
上記写真画像処理装置から上記合成画像に関する情報と上記撮影画像または上記合成画像に対応付けられたオプション情報とを受信し、さらに、通信端末からその機種に関する情報を受信し、当該オプション情報のうち通信端末の機種に対応するオプション情報と上記合成画像とを通信端末に送信するサーバ装置と、
自身の機種に関する情報をサーバ装置に送信し、サーバ装置から上記合成画像と自身の機種に対応するオプション情報とを受信し、当該オプション情報の示すオプション処理を施した状態で上記合成画像を表示する通信端末と、
を含むことを特徴とする合成画像通信システム。
【発明の詳細な説明】
【技術分野】
【０００１】
本発明は、撮影画像に装飾画像を合成した合成画像を形成する写真画像処理装置、写真画像処理装置の制御方法、写真画像処理制御プログラム、コンピュータ読み取り可能な記録媒体、合成画像通信システムに関するものである。
【背景技術】
【０００２】
従来、例えばゲームセンターなどの娯楽施設において、ユーザの写真撮影を行うとともに、その写真を背景画像などと合成した上でシールプリントとして出力する写真画像処理装置（写真撮影プリント装置、写真シール機）が設置されており、人気を博している。この写真画像処理装置では、例えば、写真撮影が行われた後に、表示画面上に表示させた撮影画像に対して、タッチペンなどのポインティングデバイスによって落書き等の装飾を施すことが可能となっている機種が普及している。この装飾の機能によって、ユーザは撮影画像に対して、例えば背景の色や模様を変更したり、文字やイラストなどを書き込んだりすることが可能となる。さらに、これら撮影画像に装飾を施した合成画像をユーザの携帯端末に送信するサービスも行われており、写真画像処理装置を利用した後も、ユーザは携帯端末で合成画像を利用できるような工夫がなされている。
【０００３】
このような合成画像の配信方法として、例えば特許文献１には、写真画像処理装置にて合成された撮影画像をサーバに送信し、サーバから携帯端末に合成画像を送信する方法が開示されている。また、例えば特許文献２には、サービスセンターが顧客からのテンプレートに関する情報を指定情報としてラボに送信すると、ラボでは高解像度のテンプレートデータを使用して写真データを加工してプリントを作成するサービスシステムが開示されている。
【０００４】
さらに、例えば特許文献３には、合成画像を受信端末で表示できるフォーマットに変更して送信する通信装置が開示されている。
【特許文献１】特開２００１−３１３９１３号公報（２００１年３月３日公開）
【特許文献２】特開平１１−１５４２１８号公報（１９９９年６月８日公開）
【特許文献３】特開２００４−１９３８０９号公報（２００４年７月８日公開）
【発明の開示】
【発明が解決しようとする課題】
【０００５】
ところが、写真画像処理装置では合成画像として動画像を表示できる場合であっても、サーバを介してユーザの通信端末に合成画像を送信すると、この通信端末に動画を表示できる機能が無い場合、静止画像が表示される、あるいは表示されないことになる。そのため、ユーザは、写真画像処理装置での表示と異なるために違和感あるいは不快感をもってしまう。
【０００６】
他方、写真画像処理装置では合成画像として動画像を表示できる場合であっても、それをユーザの通信端末に合わせて静止画としてサーバに送信すると、ユーザがサーバを介して他人の通信端末に送信する場合、他人の通信端末では、動画を表示できる機能があったとしても、結局動画表示できないものとなってしまう。
【０００７】
そこで、本発明は、上記問題点に鑑みなされたものあり、ユーザによって指定された種類の通信端末にて合成画像が表示される状態をユーザに提示でき、さらにユーザによって指定された種類の通信端末以外の種類の通信端末に転送した場合にはその通信端末に適した状態で合成画像を提示できる写真画像処理装置、写真画像処理装置の制御方法、写真画像処理制御プログラム、コンピュータ読み取り可能な記録媒体、合成画像通信システムを提供することを目的としている。
【課題を解決するための手段】
【０００８】
本発明に係る写真画像処理装置は、上記課題を解決するために、被写体を撮影した撮影画像に装飾画像を合成した合成画像を形成し、当該合成画像をサーバ装置を介して通信端末に送信する写真画像処理装置であって、
上記装飾画像に対して施された処理であるオプション処理の種類を判別するオプション判別手段と、上記判別されたオプション処理の種類のうち、ユーザによって指定された種類の通信端末にて実行可能な種類のオプション処理を施した状態で、上記合成画像をユーザに提示する提示制御手段と、上記判別されたオプション処理の種類に関するオプション情報を、上記撮影画像に対応付けて上記サーバ装置に送信する通信処理手段と、を備えたことを特徴としている。
【０００９】
また、本発明に係る写真画像処理装置の制御方法は、上記課題を解決するために、被写体を撮影して撮影画像に装飾画像を合成した合成画像を形成し、当該合成画像をサーバ装置を介して通信端末に送信する写真画像処理装置の制御方法であって、上記装飾画像に対して施された処理であるオプション処理の種類を判別するオプション判別ステップと、上記判別されたオプション処理の種類のうち、ユーザによって指定された種類の通信端末にて実行可能な種類のオプション処理を施した状態で、ユーザに提示する提示制御ステップと、上記判別されたオプション処理の種類に関するオプション情報を、上記撮影画像に対応付けて上記サーバ装置に送信する通信ステップと、を含むことを特徴としている。
【００１０】
上記構成および上記方法では、撮影画像に合成される装飾画像に対して施された処理であるオプション処理の種類が判別し、合成画像をユーザによって指定された種類の通信端末にて実行可能なオプション処理を施した状態で、ユーザに提示する。よって、写真画像処理装置にてユーザによって指定された種類の通信端末にて合成画像が表示される状態で、合成画像をユーザに提示することができる。よって、ユーザは、ユーザによって指定された種類の通信端末で合成画像を閲覧した際には、写真画像処理装置で作成したものと相違がないため、違和感なく合成画像を閲覧することができる。
【００１１】
ここで、装飾画像とは、撮影画像に合成される画像であり、例えば、背景画像、フレーム画像、スタンプ画像、あるいはユーザの入力（手書き）による画像（いわゆる落書き画像）が挙げられる。装飾画像は、合成画像の表示前あるいは、表示後に表示されるものであってもよい。なお、装飾画像は静止画であっても動画であってもよい。また、オプション処理とは、装飾画像に対して施された処理であればどのようなものであってもかまわなく、具体例を示すと、装飾画像が動画表示される場合には、装飾画像を動画像として表示させる処理を指す。また、例えば、合成画像が表示される前あるいは後に、動画像が表示されるようになっている場合、この動画像が付加される処理がオプション処理となる。
【００１２】
さらに、上記構成および上記方法では、判別されたオプション処理の種類に関するオプション情報を、撮影画像に対応付けてサーバ装置に送信する。サーバ装置では、情報端末の機種に応じて合成画像を送信するようになっていると、この合成画像を、ユーザによって指定された種類の通信端末以外の種類の通信端末にサーバ装置を介して転送した場合でも、サーバ装置は、その通信端末に適した状態で合成画像を提供できる。よって、ユーザによって指定された種類の通信端末よりも、サーバ装置を介しての転送先の通信端末が高度の処理機能を有するものであったとしても、転送先と同じ処理機能で合成画像が作成されていれば、転送先の通信端末では、その高度の機能に合わせて合成画像を提示することができる。
【００１３】
本発明に係る写真画像処理装置では、上記構成に加え、上記提示制御手段は、通信端末と当該通信端末にて提示できる上記オプション処理の種類とが対応付けられた機種情報を格納する機種情報データベースから、上記機種情報を取得することにより、ユーザによって指定された種類の通信端末にて実行可能なオプション処理の種類を特定し、上記通信処理手段は、上記判別されたオプション処理の種類のうち、上記機種情報データベースに含まれる通信端末の少なくとも１機種で実行可能なオプション処理の種類の全てに関するオプション情報を送信してもよい。
【００１４】
上記構成では、機種情報データベースに基づき、ユーザによって指定された種類の通信端末にて実行可能なオプション処理を施した状態で合成画像がユーザに提示する。また、上記機種情報データベースに含まれる通信端末の少なくとも１機種で実行可能なオプション処理の種類の全てに関するオプション情報を、サーバ装置に送信する。判別されたオプション処理であっても、それを実行可能な情報端末の機種が無い場合、データを送ることは無駄になる。上記構成によると、そのような無駄なデータの送信を抑制することができる。また、少なくとも１機種で実行可能なオプション処理の種類の全て関するオプション情報を送信するということで、どのような機種の通信端末から、サーバ装置を介してどのような機種の通信端末に転送した場合でも、必ずその転送先の機種に応じた表示を行うことができる。
【００１５】
本発明に係る写真画像処理装置では、上記構成に加え、上記オプション情報は、上記装飾画像を動画像として表示させるための情報であってもよい。
【００１６】
上記構成によると、装飾画像を動画像として表示させるための情報がサーバ装置に送られる。サーバ装置では、送信する情報端末の機種に応じて、動画を表示することの可能な動画表示対応機種であれば、合成画像における装飾画像を動画像として情報端末に送信することができる。動画表示対応機種の情報端末では、写真画像処理装置で作成した合成画像における装飾画像を動画像として提示される。
【００１７】
本発明に係る写真画像処理装置では、上記構成に加え、上記オプション情報は、上記合成画像にさらに加えられる装飾画像を表示させる情報であってもよい。
【００１８】
上記構成によると、合成画像に加えられて表示される装飾画像の情報がサーバ装置に送られる。サーバ装置では、送信する情報端末の機種に応じて、この加えられ装飾画像が表示可能な機種であれば、この受信した装飾画像を合成画像に加えて情報端末に送信することができる。たとえば、上記加えられる装飾画像が動画像であり、送信先が動画表示対応機種の通信端末であると、写真画像処理装置で作成した合成画像に新たな動画像が付加されて通信端末にて提示される。よって、ユーザは、情報端末で写真画像処理装置で作成した合成画像を単に得るだけでなく、新たな画像が付加された合成画像を得ることができ、満足感を与えることがでる。よって、よりいっそうの写真画像処理装置の利用に繋げることができる。なお、合成画像に加えられて表示される装飾画像とは、動画像であっても静止画像であってもよい。また、動画像の場合、写真画像処理装置で作成した合成画像に重ねて表示される動画像だけでなく、合成画像の表示前あるいは、表示後に表示される動画像であってもよい。また、装飾画像は、合成画像を縁取るフレーム画像や、描画を貼りつけるスタンプ画像、などであってもよい。
【００１９】
本発明に係る写真画像処理装置では、上記構成に加え、上記通信処理手段は、上記オプション情報として、上記オプション処理を識別するための識別情報を送信してもよい。
【００２０】
上記構成によると、識別情報をサーバシ装置に送信することで、送信するデータ量を抑制することができる。もちろん、オプション処理の内容を示す情報そのものを送信しても構わない。
【００２１】
本発明に係る写真画像処理装置では、上記構成に加え、上記通信端末は、携帯電話機であってもよい。
【００２２】
上記構成によれば、写真画像処理装置で合成した合成画像を、ユーザの指定した携帯電話機の機種に合わせてその携帯電話機にて提示させることができる。ユーザは、この合成画像を、いわゆる待ちうけ画面とすることもでき、写真画像処理装置で作成した合成画像の利用が広がり、写真画像処理装置のリピータを増やすことに繋がる。
【００２３】
なお、上記写真画像処理装置は、コンピュータにより実現してもよく、この場合には、コンピュータを上記各手段として動作させることにより上記写真画像処理装置をコンピュータにて実現させる写真画像処理制御プログラム、及びその写真画像処理制御プログラムを記録したコンピュータ読み取り可能な記録媒体も、本発明の範疇に入る。
【００２４】
これらの構成によれば、写真画像処理制御プログラムを、コンピュータに読み取り実行させることによって、上記写真画像処理装置と同一の作効果を実現することができる。
【００２５】
また、本発明に係る合成画像通信システムは、上記課題を可決するために、上記何れかの写真画像処理装置と、当該写真画像処理装置から上記撮影画像と当該撮影画像に対応付けられたオプション情報とを受信し、さらに、通信端末からその機種に関する情報を受信し、当該オプション情報のうち通信端末の機種に対応するオプション情報と上記合成画像とを通信端末に送信するサーバ装置と、自身の機種に関する情報をサーバ装置に送信し、サーバ装置から上記合成画像と自身の機種に対応するオプション情報とを受信し、当該オプション情報の示すオプション処理を施した状態で上記合成画像を表示する通信端末と、を含むことを特徴としている。
【００２６】
上記システムでは、写真画像処理装置にてユーザによって指定された種類の通信端末にて合成画像が表示される状態をユーザに提示できる。それと同じ状態で合成画像をユーザによって指定された種類の通信端末で提示することができる。よって、ユーザは、ユーザによって指定された種類の通信端末で違和感なく合成画像を閲覧することができる。さらに、この合成画像を、ユーザによって指定された種類の通信端末以外の種類の通信端末にサーバ装置を介して転送した場合でも、サーバ装置は、その通信端末に適した状態で合成画像を提供できる。よって、ユーザによって指定された種類の通信端末よりも、サーバ装置を介しての転送先の通信端末が高度の処理機能を有するものであったとしても、転送先と同じ処理機能で合成画像が作成されていれば、転送先の通信端末では、その高度の機能に合わせた合成画像を提示することができる。
【発明の効果】
【００２７】
本発明に係る写真画像処理装置は、以上のように、装飾画像に対して施された処理であるオプション処理の種類を判別するオプション判別装飾画像に対して施された処理であるオプション処理の種類を判別するオプション判別手段と、上記判別されたオプション処理の種類のうち、ユーザによって指定された種類の通信端末にて実行可能な種類のオプション処理を施した状態で、上記合成画像をユーザに提示する提示制御手段と、上記判別されたオプション処理の種類に関するオプション情報を、上記撮影画像に対応付けて上記サーバ装置に送信する通信処理手段と、を備えている。
【００２８】
上記構成によると、撮影画像に合成される装飾画像に対して施された処理であるオプション処理の種類が判別し、合成画像をユーザによって指定された種類の通信端末にて実行可能なオプション処理を施した状態で、ユーザに提示する。よって、写真画像処理装置にてユーザによって指定された種類の通信端末にて合成画像が表示される状態で、合成画像をユーザに提示することができる。よって、ユーザは、ユーザによって指定された種類の通信端末で合成画像を閲覧した際には、写真画像処理装置で作成したものと相違がないため、違和感なく合成画像を閲覧することができる。さらに、上記構成では、判別されたオプション処理の種類に関するオプション情報を、撮影画像に対応付けてサーバ装置に送信する。サーバ装置では、情報端末の機種に応じて合成画像を送信するようになっていると、この合成画像を、ユーザによって指定された種類の通信端末以外の種類の通信端末にサーバ装置を介して転送した場合でも、サーバ装置は、その通信端末に適した状態で合成画像を提供できる。よって、ユーザによって指定された種類の通信端末よりも、サーバ装置を介しての転送先の通信端末が高度の処理機能を有するものであったとしても、転送先と同じ処理機能で合成画像が作成されていれば、転送先の通信端末では、その高度の機能に合わせて合成画像を提示することができる。
【発明を実施するための最良の形態】
【００２９】
本発明の実施の一形態について図１〜図２４に基づいて説明すれば、以下の通りである。
【００３０】
（システムの全体構成）
初めに本発明に係る合成画像通信システムの概略構成について説明する。図２は、本実施形態の合成画像通信システム１００の構成を示すブロック図である。合成画像通信システム１００は、図１に示すように、写真撮影プリント装置（写真画像処理装置）１…、管理サーバシステム（サーバ装置）２００、携帯電話機（通信端末）３００…を含んでいる。なお、通常、合成画像通信システム１００には複数の写真撮影プリント装置１…が含まれるが、単一の写真撮影プリント装置１が含まれていてもよい。
【００３１】
写真撮影プリント装置１は、ユーザを写真撮影する機能（撮影機能）、その撮影画像に対して画像編集、いわゆる「落書き」等の装飾をユーザに行わせ、撮影画像に装飾画像を合成し合成画像を作成する処理を行う機能（編集機能）、できた合成画像をシール紙などのプリント紙にプリントする機能（プリント機能）を有する装置である。なお、これらの機能は全て必須であるものではなく、例えばプリント機能が省かれた構成とすることも可能である。さらに、写真撮影プリント装置１は、上記合成画像を管理サーバシステム２００を介してユーザの携帯電話機３００に送信する機能を備えている。ここでは、ユーザからの入力を受け付けたメールアドレスと、合成画像情報（後段で詳細に説明する）を、管理サーバシステム２００に送信し、管理サーバシステムが、合成画像を指定のメールアドレスの携帯電話機３００に送信する。
【００３２】
なお、写真撮影プリント装置１は、ユーザから料金を徴収することによって、上記のような機能をユーザに提供するようになっている。また、各機能に対して制限時間が設けられており、ユーザはこの制限時間内で各機能を利用することになる。
【００３３】
管理サーバシステム２００は、各写真撮影プリント装置１から撮影画像に対して編集処理が行われた画像に関する合成画像情報、および、ユーザから入力されたメールアドレスの情報などを含む付加情報を受信する。また、携帯電話機３００からのアクセスに応じて、上記合成画像のデータを該携帯電話機３００に送信する処理を行うサーバシステムである。なお、管理サーバシステム２００は、一般には複数の写真撮影プリント装置１…に対して共通に設けられている装置であるが、管理サーバシステム２００を写真撮影プリント装置１が兼用していてもよい。例えば、複数の写真撮影プリント装置の一台だけた管理サーバシステム２００と兼用され、それに、他の複数の写真撮影プリント装置が接続されていてもよい。
【００３４】
管理サーバシステム２００と各写真撮影プリント装置１…との間は、通信媒体によって通信接続されている。この通信媒体としては、例えば専用線接続などが挙げられるが、通信形態については特に限定されるものではない。また、管理サーバシステム２００と各携帯電話機３００…との間は、同様に通信媒体によって通信接続されている。この通信媒体としては、例えば無線電話網とインターネットとの組合せなどが挙げられるが、通信形態については特に限定されるものではない。
【００３５】
携帯電話機３００は、例えば携帯電話網やＰＨＳ（登録商標：Personal Handyphone System）電話網などの無線電話網による電話機能を有するとともに、該無線電話網を用いたデータ通信機能（メール通信機能を含む）および情報処理機能を有する情報処理端末である。なお、本発明に適用される情報処理端末は、携帯電話機に限定されるものではなく、有線無線を問わず管理サーバシステム２００とデータ通信が可能であり、かつ情報処理を行うことが可能な情報処理端末であれば、どのような装置であってもよい。
【００３６】
また、本実施形態では、携帯電話機３００のメールアドレスをユーザにより入力させるものとするが、例えば、写真撮影プリント装置１が携帯電話機３００から直接読み取り可能に設けられていても構わない。この場合には、写真撮影プリント装置１と携帯電話機３００が近距離無線通信を行うものとする。これらの装置には、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１１ａ，１１ｂ，１１ｇなどに準拠した無線ＬＡＮ（Ｌｏｃａｌ Ａｒｅａ Ｎｅｔｗｏｒｋ）モジュールやＢｌｕｅｔｏｏｔｈ（登録商標）モジュール、あるいは、赤外線を介しての通信を行うモジュールなどよりなる近距離通信部を有しており、互いに近距離無線通信を行うことが可能とされている。しかし、これに限定されず、写真撮影プリント装置１と携帯電話機３００とは、例えばＵＳＢケーブル等の有線で接続される構成であってもかまわない。あるいは、近距離無線通信を行わず、例えば公衆電話回線、携帯電話回線、ＰＨＳ回線、インターネットなどで構成された広域ネットワークを介して接続するようになっていてもよい。
【００３７】
（合成画像通信システムの利用形態）
合成画像通信システム１００の利用形態について概略的に説明する。ユーザは、例えば娯楽施設などに設置されている写真撮影プリント装置１を用いてゲームを行う。このゲームにおいて、ユーザは、写真撮影を行い、写真撮影プリント装置１上で撮影画像に対する編集処理として、いわゆる落書きといった、撮影画像に装飾画像を書き込む処理を行う。この装飾（落書き）の一環として、ユーザは、専用のペンで思い思いの絵や文字を書き込み、あるいはスタンプを選択してスタンプの模様を撮影画像に書き込む。この装飾画像については動画も含まれるが、これについては後段に詳細に説明する。
【００３８】
そして、撮影画像に装飾画像（落書き）を合成した合成画像を、写真撮影プリント装置１がプリントして出力することで、ユーザは、そのプリント物をゲームの成果として得ることができる。また、合成画像通信システム１００では、ユーザは携帯電話機３００に合成画像を送信することができる。この場合、ユーザが携帯電話機３００のメールアドレスを写真撮影プリント装置１に登録（入力）することで、写真撮影プリント装置１は、合成画像情報（後述する）、および、付加情報（後述する）を管理サーバシステム２００に送信する。ここでは、合成画像の所有者としての自己の識別情報（ＩＤ）として、また、サーバからの情報を受信するために、自己の携帯電話機のメールアドレスを登録するものとする。以上により、写真撮影プリント装置１でのユーザのゲームは終了する。
【００３９】
管理サーバシステム２００は、写真撮影プリント装置１から送られてくる合成画像情報、および、付加情報を互いに対応付けて記憶する。そして、管理サーバシステム２００は、ユーザのメールアドレスに対して、合成画像を取得することができるページのアドレス情報を示したメールを送信する。ユーザは、自己の携帯電話機３００を用いて、受信したメールに示されたアドレスのページにアクセスすることで該合成画像を携帯電話機３００において表示させることができる。また、表示させた合成画像をダウンロードすることもできる。
【００４０】
また、写真撮影プリント装置１は、合成画像情報、および、付加情報を管理サーバシステム２００に送信する際、これらの対応付けを可能とする対応付け情報を送信データに含めることが好ましい。対応付け情報は、各情報のデータに含められて送信されてもよいし、各情報のデータとは別に送信されてもよい。
【００４１】
次に、合成画像通信システム１００における各構成について詳細に説明する。
【００４２】
（写真撮影プリント装置の外観的構成）
次に、写真撮影プリント装置１の外観構成について、図３（ａ）および図３（ｂ）を参照しながら以下に説明する。この写真撮影プリント装置１は、ユーザの写真を撮影する撮影部２と、撮影した写真（撮影画像）に対して落書きなどの編集をユーザに行わせる編集部３と、ユーザが編集を行った写真（編集画像）をプリント紙に出力する印刷部４とを有している。図３（ａ）は写真撮影プリント装置１における撮影部２側からの外観を示し、図３（ｂ）は編集部３および印刷部４側からの外観を示している。
【００４３】
図４は、第１の編集部３ａの正面図である。なお、第２の編集部３ｂの構成は、第１の編集部３ａと同様であるので、ここでは図示しない。第２の編集部３ｂは、第１の編集部３ａの対面に設けられている。以下では、二つを区別する必要が無い場合は、まとめて編集部３として説明する。
【００４４】
編集部３は、ユーザが撮影部２による撮影工程を終了した後に、撮影画像に対して落書きなどの編集工程を実行するためのものであり、タッチパネル部３１、タッチペン３２、および、音声出力部３３などで構成される。編集部３の各部は、制御部１０によって制御される。上述の各部の詳細については後述する。
【００４５】
図５は、印刷部４の正面図である。本実施形態では、編集部３の側面に印刷部４を設けており、したがって、図５は、編集部３の側面を表している。印刷部４は、ユーザが編集部３による編集工程を終了した後の編集画像をシール紙にプリントして、プリントしたシール紙を排出するものである。本実施形態では、編集部３側面に、プリント排出口４４ａおよび４４ｂが設けられており、第１の編集部３ａにて編集が行われた編集画像のシール紙は、プリント排出口４４ａから排出され、第２の編集部３ｂにて編集が行われた編集画像のシール紙は、プリント排出口４４ｂから排出される。
【００４６】
上述のような構成の写真撮影プリント装置１において、ユーザは、まず撮影部２が備えられた撮影空間に入って撮影工程を実行し、その後、編集部３（第１の編集部３ａまたは第２の編集部３ｂ）が備えられた編集空間に移動して編集工程を実行し、印刷部４により撮影画像または編集画像（合成画像）のプリントされたシール紙をプリント排出口４４ａ・４４ｂから受け取る、という流れでゲームの一連の工程を楽しむ。また、ユーザが携帯電話機３００のメールアドレスを写真撮影プリント装置１に登録（入力）することで、後に、携帯電話機３００で上記合成画像を管理サーバシステム２００から取得することができる。
【００４７】
以上のように、写真撮影プリント装置１は、撮影部２と編集部３とが別の空間に設けられている。よって、一組のユーザが編集部３において編集処理を行っている時でも、他のユーザが撮影処理を開始することが可能となっている。これにより、回転率を向上させることが可能である。
【００４８】
また、編集部３における編集処理には、基本的には制限時間が設けられている。これに対して、別の利用者が撮影処理に入るまで編集処理時間を無制限にし、他のユーザが撮影処理を開始した時点から、編集処理に制限時間を設けるようにしてもよい。
【００４９】
また、本実施形態に係る写真撮影プリント装置１は図３（ａ）および図３（ｂ）に示すとおり、編集部３を２つ備える構造となっており、第１の編集部３ａと第２の編集部３ｂとが対面に設置されている。このように、編集部３を撮影部２よりも多く設けることで、ボトルネックとなっている編集工程に係る処理時間を分散し、回転率を向上させることが可能である。しかし、本発明の写真撮影プリント装置１は、上述の構成に限定されない。編集部３の設置位置は特に限定しないし、また、設置数も、編集部３を１つ設ける構成としてもよいし、設置場所が確保できれば、３つ以上の編集部３を設けるようにしてもよい。
【００５０】
（写真撮影プリント装置の機能的構成）
次に、上記写真撮影プリント装置１の機能的な構成について、図１に示すブロック図を参照しながら説明する。本発明の写真撮影プリント装置１は、図１に示すとおり、撮影部２、編集部３、印刷部４、制御部１０、および、記録部５０を備えた構成となっている。
【００５１】
制御部１０は、写真撮影プリント装置１が備える上述の各部の動作を統括的に制御するものである。制御部１０の詳細な構成については後段で詳細に説明する。この制御部１０は、例えばＰＣ（personal computer）ベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御部１０がインターネットなどの通信ネットワークに接続された構成とする場合、この通信ネットワークを介して上記プログラムをダウンロードしてハードディスクなどにインストールして実行する形態なども考えられる。
【００５２】
写真撮影プリント装置１は、上記したハードディスクなどの不揮発性の記憶装置によって構成される記録部５０を備える。この記録部５０に記憶される内容としては、撮影部２にて撮影した撮影画像、編集用画像、合成画像情報、印刷画像、および機種情報データベース、が挙げられる。これらについては後段で説明する。さらに、記録部５０には、上記制御プログラム、ＯＳ（Operating System）プログラム、その他の各種プログラム、カメラ部２３における動作設定値、撮影画像および編集画像の画像データなどが記録される。カメラ部２３における動作設定値としては、写真撮影プリント装置１の出荷時やメンテナンス時などに設定されるホワイトバランスの値、撮影画像の明暗などを調整する際の画像処理に関する各種パラメータ値などが挙げられる。
【００５３】
撮影部２は、撮影工程を実行するものであり、硬貨処理部２１、照明部２２、カメラ部２３、撮影画像表示部２４、カメラ画像表示部２５、および、操作部２６により構成されている。なお、ここには図示しないが、撮影部２には、ユーザにある動作を促すよう音声案内を行うための音声出力部が含まれていてもよい。
【００５４】
硬貨処理部２１は、ユーザから料金の徴収を行う際の硬貨投入／返却処理を行うものである。所定の硬貨が投入されたと判定すると、制御部１０に通知する。そして、制御部１０は、硬貨処理部２１からの通知を受け取ると、課金処理を行う。すなわち、制御部１０は、硬貨処理部２１からの通知をカウントし、ユーザが投入した金額に応じて、ユーザに対する各種動作を制御する。
【００５５】
照明部２２は、撮影時にストロボランプなどの写真閃光灯として機能するとともに、通常時の照明として機能するものである。本実施形態では、光源としてフラッシュランプを使用しているが、蛍光灯などのような連続光を発する光源を使用することもできる。また、フラッシュランプの近傍に蛍光灯などを補助光源として設けることもできる。連続光の光源や補助光源を使用することにより、撮影前のライブビュー画像から撮影時の写りを推測することができる。
【００５６】
カメラ部２３は、主にユーザを被写体として写真撮影を行うものであり、例えばレンズ群、絞り、ＣＣＤ（charge coupled device）撮像素子などを備えたデジタルカメラによって構成される。カメラ部２３は、全身撮影とクローズアップ撮影との両方に対応できるように、例えば使用するレンズ群および絞りを切り替えられるような構成となっている。
【００５７】
撮影画像表示部２４は、ユーザにユーザインターフェイスを提供するものであり、各種画像や各種操作ボタン等を表示する。撮影画像表示部２４は、例えば、液晶表示素子等のフラットパネルディスプレイやＣＲＴなどの表面にタッチパネルが設けられて構成されている。カメラ部２３が撮影した撮影画像を撮影画像表示部２４に表示することにより、ユーザは、撮影画像を確認することができる。
【００５８】
カメラ画像表示部２５は、カメラ部２３がとらえるリアルタイムの映像、すなわち、撮影前のライブビュー画像を表示するものである。カメラ画像表示部２５にライブビュー画像を表示することにより、ユーザは前もって写りを確認して撮影に臨むことができる。なお、撮影画像表示部２４とカメラ画像表示部２５とが同一のものとして設けられていてもかわまない。
【００５９】
操作部２６は、写真撮影プリント装置１に対するゲームの操作をユーザが行うための指示信号を入力する入力デバイスである。本実施形態では、操作部２６を撮影画像表示部２４と一体としたタッチパネルとして実現する。すなわち、撮影画像表示部２４に、操作ボタンなどのＧＵＩ画面を表示する。撮影画像表示部２４の表示画面がユーザの指（または、タッチペンなどのポインティングデバイス）により押下されることにより、その位置に対応するボタンや画像を示す指示信号が、写真撮影プリント装置１内部に入力される。
【００６０】
なお、本実施形態では、操作部２６を撮影画像表示部２４と一体に設けたタッチパネルとして構成することとしたが、これに限定されず、操作部２６を、例えば、テンキーや十字キーなどが設けられたリモコンや、キーボードなどの入力デバイスとして構成してもよい。
【００６１】
編集部３は、編集工程を実行するものであり、タッチパネル部３１およびタッチペン３２により構成されている。編集部３には、さらに、音声出力部３３が含まれていてもよい。
【００６２】
タッチパネル部３１は、ユーザにユーザインターフェイスを提供するものであり、編集画像表示部３１ａおよび操作受付部３１ｂにより構成される。編集画像表示部３１ａは、編集工程における編集の対象となる画像（編集対象画像）や、撮影画像に編集を施した結果（合成画像）を表示するものである。操作受付部３１ｂは、タッチペンなどのポインティングデバイスを用いることにより入力されたユーザの指示信号を受け付けて、写真撮影プリント装置１内部に伝達するものである。
【００６３】
タッチペン３２は、画像編集処理などにおいて、タッチパネル部３１上で細かな操作入力をユーザが行うためのものであり、タッチパネル部３１の近くに配備される。ユーザは、このタッチペン３２をタッチパネル部３１に接触または接近させることによって、処理の進行に応じて表示されるボタンを選択したり、落書きなどの画像描画を行ったりすることができる。例えば、タッチパネル部３１の画面がタッチペン３２で押下されることにより、その位置に対応するボタンや画像を示す指示信号が、写真撮影プリント装置１内部に入力される。これにより、ユーザは、撮影画像に落書きを施したり、スタンプを押したり、また、印刷の対象となる印刷対象画像を選択したりすることができる。
【００６４】
なお、本実施形態では、複数のユーザが容易に画像編集を行うようにするために、タッチペン３２を２本配備しているが、構成の簡略化のために、１本のみを配備することもできるし、３人以上のユーザのために、３本以上を配備することもできる。同様に、タッチペン３２を複数個配備することもできる。
【００６５】
音声出力部３３は、各種操作上のガイダンス音声や効果音などを出力するものであり、写真撮影プリント装置１の適所に配備される。この音声出力部３３としては、例えばスピーカが用いられる。
【００６６】
印刷部４は、印刷対象として選択された撮影画像および／または編集画像を印刷することにより印刷工程を実行するものであり、ＩＤタグリーダ／ライタ部４１、および、プリンタ部４２により構成されている。この印刷部４に対して、写真プリントの出力媒体となるシール紙１４２と、ＩＤタグ１４１とが、シール紙ユニット４３としてセットで納入されるようになっている。
【００６７】
プリンタ部４２は、出力すべき画像データが制御部１０から送られてくると、その画像データに基づいてシール紙１４２に印刷するものである。このプリンタ部４２としては、例えば昇華型プリンタが用いられる。なお、昇華型プリンタを用いる場合には、シール紙１４２およびＩＤタグ１４１に加えて、昇華型用インクフィルムがセットととなって納入されることになる。
【００６８】
ＩＤタグリーダ／ライタ部４１は、ＩＤタグ１４１に記録されている各種識別情報を読み出して制御部１０に出力する。ＩＤタグ１４１は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００６９】
制御部１０は、ＩＤタグリーダ／ライタ部４１で読み取った識別情報に基づいて、装着されたシール紙１４２およびインクフィルムが、当該写真撮影プリント装置１において利用可能なものであるかを判定し、利用可能である場合にのみプリンタ部４２を動作可能とする。すなわち、写真撮影プリント装置１において指定されているシール紙１４２およびインクフィルム以外は使用できないように設定されていることになる。
【００７０】
また、ＩＤタグ１４１に記録されている用紙枚数情報に基づいて、シール紙を使用するたびに用紙枚数をカウントダウンしていくことによって、残りの用紙枚数を把握することが可能となる。よって、残りの用紙枚数が少なくなってきた際に、これを表示手段などによって警告するような構成としておけば、ユーザの利用中に用紙切れを起こすというような不具合を回避することが可能となる。なお、用紙枚数をカウントダウンする際には、ＩＤタグ１４１に記録されている用紙枚数情報も書き換えることが望ましい。これにより、用紙を使い切った場合には、ＩＤタグ１４１に記録されている用紙枚数情報も０となり、このＩＤタグ１４１を無効にすることが可能となる。また、ＩＤタグ１４１に記録されている用紙種類情報や、インク固有の色情報を読み出すことによって、これらを考慮して画像データの色成分などを補正することにより、そのシール紙１４２やインクフィルムに的確な画像出力を行うことが可能となる。
【００７１】
ＩＤタグ１４１としては、無線（ワイヤレス）によりデータ通信を行うことが可能な非接触型ＩＤタグと、端子が設けられた接触型ＩＤタグとがあり、ＩＤタグリーダ／ライタ部４１としては、これらの何れか一方あるいは両方に対応したものとなる。
【００７２】
なお、上述の例では、利用可能なシール紙１４２であるか否かを確認するために、ＩＤタグ１４１を利用しているが、これに限定されるものではなく、例えば、シール紙１４２およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【００７３】
なお、本実施形態では、シール紙１４２として、粘着シートおよび該粘着シートの粘着面に貼り付けられている剥離シートからなるシールシートを想定しているが、これに限定されない。シール紙１４２の代わりに、通常の紙状媒体である紙状シートを用いるように本発明の写真撮影プリント装置１を構成することもできる。
【００７４】
また、本発明の写真撮影プリント装置１は、カーテン部２７を備えていてもよい。カーテン部２７は、撮影画像の背景となるカーテンを提供するものである。カーテンは、さまざまな色や模様を施されたものが用意され、撮影時に、ユーザが自由に選択できたり、写真撮影プリント装置１が自動で選択したりする。これら複数のカーテンは、撮影空間の背面（撮影部２の対面）に重ねて配置されており（図３（ａ）参照）、撮影時には、選択されたカーテンが、被写体の背後に写るよう、最前面に設置される。選択されたカーテンの設置は、制御部１０の背景制御部１５がカーテン部２７を制御することにより実行してもよいし、ユーザ自身が手動で行う構成としてもよい。なお、本実施形態では、カーテン部２７が複数のカーテンを提供する構成としたが、これに限定されない。カーテン部２７で設置可能なカーテンを１種類としてもよい。この場合は、合成用の背景画像を複数種類用意して、編集工程においてユーザが所望する背景画像を合成するようにすれば、カーテンの種類が１つしかなくても、ユーザの多様な好みに対応することができる。
【００７５】
次に、写真撮影プリント装置１の制御部１０および記録部５０についてより詳細に説明する。図１に示すとおり、制御部１０は、撮影画像取得部１１、画像編集部１２、オプション判別部（オプション判別手段）１６、提示制御部（提示制御手段）１７、印刷画像作成部１３、通信処理部（通信処理手段）１４、および背景制御部１５を有している。なお、背景制御部１５については、上記した通りであるので、ここでは説明を省略する。
【００７６】
記録部５０は、撮影画像を記録する撮影画像記録部５１、画像編集（編集処理）において提供される、背景画像、フレーム画像、スタンプ画像などの編集用画像を記録する編集用画像記録部５２、編集画像に関する情報を記録する合成画像情報記録部５３、印刷画像を記録する印刷画像記録部５４、および、携帯電話機３００の機種毎に設定されている、携帯電話機３００で提示できる以下で説明するオプション処理の種類の情報である機種情報データベースを記録している機種情報記録部５５を含んでいる。
【００７７】
撮影画像取得部１１は、被写体の撮影によって作成された撮影画像をカメラ部２３から取得するものである。撮影画像取得部１１は、取得した撮影画像を撮影画像記録部５１に記録する。
【００７８】
画像編集部１２は、ユーザの操作にしたがって、撮影画像に対し画像編集を実行するものである。画像編集の例としては、編集用画像記録部５２から読み出した背景画像および／またはフレーム画像を追加したり、編集用画像記録部５２から読み出したスタンプ画像を任意の位置に追加したり、タッチペンによる、いわゆる落書きを追加したりして、撮影画像に装飾を行う（撮影画像に装飾画像を合成する）ことが挙げられる。これら装飾画像（背景画像、フレーム画像、スタンプ画像、ペン画像）は動画として編集画像表示部３１ａに表示させることもでき、このことの詳細については後述する。
【００７９】
しかしながら、画像編集は、上述した例に限定されず、写真撮影プリント装置１に接続された何らかの入力手段（操作部）をユーザが操作することによって、編集が実行され、当初の撮影画像に装飾が行われ、変更が加えられた結果としての合成画像（撮影画像に装飾画像が合成されたもの）を得られる編集であれば、どのような処理内容であってもよい。
【００８０】
そして、画像編集部１２は、合成画像（編集画像）を記録する代わりに、合成画像に関する情報である合成画像情報を合成画像情報記録部５３に記録する。合成画像情報としては、撮影画像の識別情報、背景画像およびフレーム画像の識別情報、スタンプ画像の識別情報と位置情報、ペン画像、上記画像編集にて装飾画像が動画像として編集された場合には装飾画像を動画像として表示させるための情報、その他各種の属性情報などが挙げられる。
【００８１】
印刷画像作成部１３は、複数の分割領域のそれぞれに、該分割領域のサイズに合わせた合成画像を配置した印刷画像を作成するものである。印刷画像における合成画像のサイズおよび配置は、通常、ユーザが複数のパターンの中から１つを選択することによって決定されるが、ユーザが自由に決定してもよいし、写真撮影プリント装置１がランダムに決定してもよい。印刷画像作成部１３は、作成した印刷画像記録部５４に記録する。そして、制御部１０は、適当なタイミングで印刷画像記録部５４に記録された印刷画像をシール紙１４２に印刷するようにプリンタ部４２に指示する。
【００８２】
オプション判別部１６は、装飾画像に対して施された処理であるオプション処理の種類を判別する。ここで、オプション処理とは、上記画像編集にて装飾画像が動画像として編集された場合には、装飾画像を動画像として表示させる処理を指す。また、本合成画像通信システム１００では、合成画像を携帯電話機３００に管理サーバシステム２００を介して送信する際に、編集処理した以外の他の装飾画像が付加できるようになっているものとする。例えば、携帯電話機３００での表示において、ヤギが手紙を持ってくる動画が初めに表示されその後に写真撮影プリント装置１で作成した合成画像が表示されるようになっている場合、このヤギが手紙を持ってくる動画が付加される他の装飾画像である。もちろん、動画に限定されない。他にも例えば、動画（または静止画）フレームが他の装飾画像の例として挙げられるが、もちろんこれらには限定されない。このような他の装飾画像を付加する場合、写真撮影プリント装置１にて、ユーザは、他の装飾画像を付加することを選択できるようになっており、他の装飾画像が付加される処理がオプション処理となる。
【００８３】
よって、上記機種情報記録部５５に記録された機種情報について、具体例を挙げると、動画表示可能、不可能を示す情報、である。さらに、上記した他の装飾画像の表示可能、不可能を示す情報、である。
【００８４】
提示制御部１７は、オプション判別部１６にて判別されたオプション処理の種類のうち、ユーザが入力したメールアドレス（アドレスの入力については後段で説明する）の携帯電話機３００にて実行可能な種類のオプション処理を施した状態で、編集処理で作成した合成画像を、編集画像表示部３１ａにて表示する。このとき、提示制御部１７は、機種情報記録部５５から、ユーザが入力したメールアドレスの携帯電話機の機種の機種情報を取得することにより、ユーザによって指定された種類の通信端末にて実行可能なオプション処理の種類を特定する。
【００８５】
本実施形態では、提示制御部１７は、携帯電話機３００への送信時に付加される他の装飾画像（例えば上記したヤギが手紙を持ってくる動画像、動画フレーム等）は、全てはなく、間引いた画像を表示させるのみとする。このように表示されると写真撮影プリント装置１のデータ保存量を抑えることができる。
【００８６】
通信処理部１４は、通信インタフェースを介して管理サーバシステム２００との通信処理を実行するものである。この通信処理部１４は、合成画像情報（本実施形態では、この合成画像情報に含まれる撮影画像の識別情報が指定する撮影画像も含むものとする）、および付加情報の送受信処理を実行する。
【００８７】
さらに、通信処理部１４は、オプション判別部１６で判別されたオプション処理の種類に関するオプション情報を、管理サーバシステム２００に送信する。ここでは、通信処理部１４は、判別されたオプション処理のうち、機種情報記録部５５に記録された機種情報に含まれる携帯電話機の少なくとも１機種で実行可能なオプション処理全てについてのオプション情報を送信するものとする。判別されたオプション処理全てのオプション情報を送信しても構わない。本実施形態では、オプション情報として、オプション処理を識別するための識別情報（例えば、ある動画フレームを付加するための動画フレーム識別情報）を送信するものとする。識別情報を管理サーバシステムに送信することで、送信するデータ量を抑制することができる。
【００８８】
ここでは、オプション情報は合成画像情報に含めて送信するものとするが、撮影画像（あるいは合成画像）に対応付けられて送信されるのであれば、どのように送信されても構わない。
【００８９】
以上のように、本実施形態の写真撮影プリント装置１では、撮影画像に合成される装飾画像に対して施された処理であるオプション処理の種類を判別し、合成画像をユーザによって指定された種類の通信端末にて実行可能なオプション処理を施した状態で、ユーザに提示する。よって、写真撮影プリント装置１にてユーザによって指定された種類の通信端末にて合成画像が表示される状態で、合成画像をユーザに提示することができる。よって、ユーザは（メールアドレスを入力することで）指定した携帯電話機３００で合成画像を閲覧した際には、写真撮影プリント装置１で作成したものと相違がないため、違和感なく合成画像を閲覧することができる。さらに、写真撮影プリント装置１では、判別されたオプション処理の種類に関するオプション情報を、撮影画像に対応付けて管理サーバシステム２００に送信する。管理サーバシステム２００では、携帯電話機３００の機種に応じて合成画像を送信するようになっていると、この合成画像を、ユーザによって指定された種類の携帯電話機３００の種類の携帯電話機３００に管理サーバシステム２００を介して転送した場合でも、管理サーバシステム２００は、その携帯電話機３００の機種に適した状態で合成画像を提供できる。よって、ユーザの携帯電話機３００よりも、管理サーバシステム２００を介しての転送先の携帯電話機３００が高度の処理機能を有するものであったとしても、転送先の携帯電話機と同じ処理機能で合成画像が作成されていれば、転送先の携帯電話機３００では、その高度の機能に合わせて合成画像を提示することができる。
【００９０】
（写真撮影プリント装置における処理の流れ）
次に、図６に示すフローチャートを参照しながら、写真撮影プリント装置１の動作フローについて説明する。
【００９１】
まず、プレイ開始の受付処理として、撮影画像表示部２４に待機状態のデモンストレーション画面が表示される。デモンストレーション画面には、写真撮影プリント装置１のマシーン名称、略称、概略等の情報が含まれる。なお、このデモ画面において、「コインを投入してね」というような、ユーザにコイン投入を促すメッセージを表示してもよい。撮影空間に進入したユーザによりコイン投入がなされ（ステップ１、以降、Ｓ１のように称する）、課金処理部による課金処理が終了すると、デモンストレーション画面を撮影処理用画面に切り替えて受付処理を完了する。
【００９２】
次に、Ｓ２において、ユーザに撮影コースを選択させるための画面が撮影画像表示部２４に表示され、ユーザからの撮影コース選択の入力を受け付ける。撮影コースとは、例えば、ノーマル撮影コース（ユーザが所望のカーテン（背景色）を選んで撮影）、おまかせ撮影コース（カーテンを自動で選択し撮影）、ポーズ撮影コース（ユーザがモデルサンプル画像（完成予想図）を選んでそれに基づいて撮影）などが挙げられ、ユーザが好きなコースを選択できるものとする。
【００９３】
Ｓ３では、ユーザは撮影コースに基づいて、撮影空間で複数回の写真撮影を行う。この時ユーザは、カメラ画像表示部（ライブビュー表示パネル）２５に表示されている自身の姿を視認しながら、写真撮影をすることができる。そしてＳ４において、撮影画像の中から編集処理対象とする画像をキープ画像としてユーザが選択し、ここで選択された撮影画像が撮影画像記録部５１に記録される。なお、このＳ４の過程を省略して、撮影画像全てを編集処理対象としてもよい。この場合、Ｓ４の処理が省略できるため、編集処理をより長くすることが可能である。
【００９４】
次に、Ｓ５において、編集処理後に行うゲームの選択が行われる。ここで選択されるゲームの種類としては複数用意されることになるが、本実施形態では、少なくとも合成画像を携帯電話機３００へ送信する処理（携帯送信）に関するゲームが含まれているものとする。その他のゲームとしては、携帯電話機３００に対して、メールに加えることが可能な装飾画像の生成処理に関するゲームなどが挙げられる。ここで、ゲームをユーザに選択させるために、編集画像表示部３１ａには例えば図７に示すようなゲーム選択画面が表示されユーザ選択に供される。
【００９５】
Ｓ６では、Ｓ４においてキープされた撮影画像に対して、編集処理が行われる。この編集処理では、編集画像表示部３１ａに、落書きなどの画像編集処理時における編集対象の画像および各種編集ツールなどが表示され、ユーザからのタッチペン３２等による入力指示に基づいて、各種編集処理が行われる。ここでは、以下で説明する動画対象ツールによる編集処理も行われる。
【００９６】
Ｓ７では、Ｓ５において選択されたゲームが、「携帯送信」に関するゲームであるか否かが判定される。Ｓ７においてＮＯ、すなわち、「携帯送信」に関するゲーム以外のゲームが選択された場合には、該ゲームが実行された後に、Ｓ８においてシール印刷処理が行われ、処理が終了する。
【００９７】
Ｓ７においてＹＥＳ、すなわち、「携帯送信」に関するゲームが選択された場合、まずＳ９において、通信処理部１４は、合成画像を送信する先となるメールアドレスの入力をユーザから受け付ける。このとき、編集画像表示部３１ａには、ユーザにメールアドレスを入力させるために、例えば図８に示すようなメールアドレスを入力するためのメールアドレス入力画面が表示される。次に、提示制御部１７は、編集処理によって生成された複数の合成画像のうち、動画像を含まない静止画としての合成画像を編集画像表示部３１ａに表示させ、ユーザから送信すべき合成画像の選択入力を受け付ける（Ｓ１０）。このとき、編集画像表示部３１ａには、例えば図９に示すような静止画像選択画面が表示される。静止画像選択画面には、Ｓ６で編集処理された合成画像がそれぞれ表示され、ユーザの選択に供される。
【００９８】
その後、提示制御部１７は、Ｓ９において入力されたメールアドレスと機種情報記録部５５とを基に、該メールアドレスに対応する携帯電話機３００の機種もしくは種類を判定し、該携帯電話機３００が動画表示に対応したものであるか否かを判定する（Ｓ１１）。Ｓ１１においてＹＥＳ、すなわち、携帯電話機３００の機種もしくは種類が動画に対応している（動画像を表示できる）場合には、提示制御部１７は、編集処理によって生成された複数の合成画像のうち、動画像を含む動画としての合成画像を編集画像表示部３１ａに表示させ、ユーザから送信すべき合成画像の選択入力を受け付ける（Ｓ１２）。このとき、編集画像表示部３１ａには、例えば図１０に示すような動画像選択画面が表示される。なお、動画の動きに複数の種類がある場合、その種類の分だけ動画像選択画面に動画が表示されるものとする。
【００９９】
その後、通信処理部１４は、Ｓ１０およびＳ１２で選択された合成画像の合成画像情報を管理サーバシステム２００に対して送信する（Ｓ１３）。このとき、当該合成画像にかかわる動画像がある場合にはその情報も、併せて送信する。その後、Ｓ８においてシール印刷処理が行われ、処理が終了する。
【０１００】
Ｓ１１においてＮＯ、すなわち、動画表示に対応していない場合には、通信処理部１４は、Ｓ１０で選択された合成画像の合成画像情報を管理サーバシステム２００に対して送信し（Ｓ１３）、Ｓ８においてシール印刷処理が行われ、処理が終了する。
【０１０１】
（動画像を含む合成画像情報の構造）
次に、動画像を含む合成画像情報の構造について説明する。合成画像情報は、複数のレイヤデータを含んでいる。このレイヤデータとしては、撮影画像を示す撮影画像データからなる撮影レイヤデータ、画像編集部１２によって編集処理された編集画像データからなる編集レイヤデータ、および、背景画像データからなる背景レイヤデータなどが挙げられる。なお、編集レイヤデータおよび背景レイヤデータは、少なくともいずれか一方が含まれていればよい。
【０１０２】
また、撮影レイヤデータ、編集レイヤデータ、および背景レイヤデータの少なくともいずれか一つが、複数のレイヤを含んでいる。この複数のレイヤを含むレイヤデータにおいて、各レイヤの表示・非表示が切り替えられることによって動画表現が実現される。なお、動画表示時における各レイヤの表示・非表示の切り替えタイミングとしては、表示期間と非表示期間とが全て等間隔で繰り返されてもよいし、それぞれ異なる間隔で繰り返されてもよい。
【０１０３】
図１１は、この合成画像情報の構造の一例を示している。同図に示す例では、合成画像情報ＣＰは、背景画像を示す背景画像データからなる背景レイヤＬＢ、撮影画像データからなる撮影レイヤＬＰ、および、編集画像データからなる２つの編集レイヤＬＥＡ・ＬＥＢからなっている。このような構成の合成画像情報ＣＰが表示される場合には、背景レイヤＬＢが最も下層となり、撮影レイヤＬＰ、編集レイヤＬＥＡ、および編集レイヤＬＥＢがこの順に上層に向けて配置される。
【０１０４】
ここで、編集レイヤＬＥＡを図１２（ａ）に示すような画像とし、編集レイヤＬＥＢを図１２（ｂ）に示すような画像とし、撮影レイヤＬＰを図１２（ｃ）に示すような画像とする。この場合、これらの撮影レイヤＬＰ、編集レイヤＬＥＡ、および編集レイヤＬＥＢがこの順で下層側から重ねて表示されると図１３に示すような合成画像となる。
【０１０５】
また、編集レイヤＬＥＡおよび編集レイヤＬＥＢの表示・非表示をそれぞれ切り替えることによって、複数の星が散りばめられた画像が点滅したり、手書き文字画像の輪郭部分の光が点滅したりする動画表示が実現される。図１４（ａ）は、編集レイヤＬＥＡを非表示にし、編集レイヤＬＥＢを表示させた状態の表示画面を示しており、図１４（ｂ）は、編集レイヤＬＥＢを非表示にし、編集レイヤＬＥＡを表示させた状態の表示画面を示している。このような表示・非表示切替を繰り返し行うことによって、上記のような動画表示が実現される。
【０１０６】
以上の例では、編集レイヤが２つの場合を示しているが、編集レイヤの数をさらに増やすことによって、より複雑な動画表示を実現することができる。例えば、編集処理においてユーザの手書きによって文字が書かれた場合に、文字形成時の筆順経過を複数の画像として記録し、これらの筆順画像データを複数の編集レイヤとして合成画像情報に含めるようにしてもよい。この場合、文字が形成された際の筆順で文字が表示される動画表示が実現できる。
【０１０７】
また、動画表示の他の例としては、文字や各種画像の色を変化させる、文字や各種画像の位置や角度を変化させる、などが挙げられる。
【０１０８】
また、複数の撮影レイヤを含む撮影レイヤデータを合成画像情報に含めておき、撮影画像を動画表示するようにしてもよい。この場合、撮影画像が切り替わる、撮影画像の位置や角度が変化する、表示される撮影画像の数が変化する、などの動画表示が可能となる。
【０１０９】
図１５（ａ）および図１５（ｂ）は、基本となる撮影画像の上に複数の部分撮影画像が表示されるとともに、少なくとも１つの部分撮影画像の位置および角度の少なくとも一方が変化するような動画表示が行われる例を示している。この場合、部分撮影画像が複数の撮影レイヤによって構成されており、各撮影レイヤの表示・非表示が切り替えられることによって動画表示が実現される。同図（ａ）の例では、少なくとも１つの部分撮影画像の角度が変化することによって、該部分撮影画像が揺れているような動画表示が行われる例が示されている。また、この例において、表示される部分撮影画像の個数を時系列で変化させる、というような動画表示が行われてもよい。また、同図（ｂ）の例では、部分撮影画像と編集画像とが組み合わされた画像が、基本となる撮影画像上を右から左へ移動する動画表示が行われている。
【０１１０】
また、複数の背景レイヤを含む背景レイヤデータを合成画像情報に含めておき、背景画像を動画表示するようにしてもよい。この場合、背景の色が変化する、背景の模様や図柄が変化する、などの動画表示が可能となる。
【０１１１】
なお、合成画像情報における各レイヤの順番は上記の例に限定されるものではなく、任意に変更可能である。例えば、撮影レイヤと背景レイヤとの間に編集レイヤを設けてもよいし、背景レイヤの背後側に編集レイヤを設けてもよい。
【０１１２】
（明度強調度情報を用いた動画表示）
複数の編集レイヤの表示・非表示を切り替える場合のバリエーションとして、少なくとも１つの編集レイヤを、明度強調度情報を示すデータからなる明度強調度情報レイヤとする方法が挙げられる。明度強調度情報レイヤは、別の編集レイヤ、撮影レイヤ、および背景レイヤの少なくともいずれか１つの画像の明度を強調する程度を示すデータからなるものとする。この明度強調度情報レイヤの表示・非表示を切り替えることによって、合成画像情報中の特定の領域の明度が切り替わるような動画表示が可能となる。
【０１１３】
図１６は、明度強調度情報を用いて動画表示が行われる例を示している。同図では、別の編集レイヤ、撮影レイヤ、および背景レイヤの少なくともいずれか１つの画像からなる基本合成画像情報ＢＣＰに対して、明度強調度情報レイヤＴＰが合成されることによって合成画像情報ＣＰが構成される例が示されている。明度強調度情報レイヤＴＰは、基本合成画像情報ＢＣＰの各画素に対して、明度を強調する程度を示す明度強調度を設定した画像データである。同図に示す明度強調度情報レイヤＴＰの例では、黒い領域が明度の強調を行わずに、白に近づくにつれて明度の強調度合いが強くなることを示している。
【０１１４】
明度強調度情報レイヤＴＰの表示・非表示の切り替えは、基本合成画像情報ＢＣＰを、明度強調度情報レイヤＴＰに示される明度強調度情報を反映させて表示するか、反映させずに表示するかを切り替えることによって実現される。
【０１１５】
明度強調度情報を反映させて表示する場合の各画素値の演算例は次のようになる。
（合成画像情報の画素値）＝（１−（明度強調度））×（基本合成画像情報の画素値）＋（明度強調度）×（基本合成画像情報の明度３０％アップの画素値）
上式において、明度強調度は０〜１の値をとるものとし、明度強調度が０の場合には基本合成画像情報の画素値は変化せず、明度強調度が１に近づくにつれて基本合成画像情報の明度が３０％アップした値に近づくことになる。すなわち、領域に応じて明度を０〜３０％の範囲でアップさせることが可能となる。
【０１１６】
なお、上記の演算例はあくまで一例であり、基本合成画像情報の各画素の明度を変化させることが可能な演算であればどのような演算が行われてもよい。
【０１１７】
また、上記の例では、１つの編集レイヤを、別の編集レイヤ、撮影レイヤ、および背景レイヤの少なくともいずれか１つの画像の明度を強調する程度を示すデータからなる明度強調度情報レイヤとしている。しかしながら、このレイヤを、画像の表示状態を変化させることが可能なパラメータの変化程度を示すデータからなる変化程度情報レイヤとしてもよい。このようなパラメータとしては、ぼかし、モザイク、輝度、および、画像の拡大縮小などを設定するパラメータなどが挙げられる。
【０１１８】
（動画対象ツールによる編集処理）
次に、画像編集部１２によって編集処理が行われる際に、動画表示を実現するために複数の編集レイヤが生成される処理について説明する。図１７は、編集処理において編集画像表示部３１ａに表示される編集画面の例を示している。同図に示すように、編集画面には、編集対象画像表示領域Ａ１、編集ツール選択領域Ａ２、編集ツール設定領域Ａ３、消しゴムツール選択領域Ａ４、編集対象画像選択領域Ａ５、および動画プレビューボタンＡ６が表示されている。また、その他、残り時間表示領域、編集処理のクリア、アンドゥ、リドゥボタン、終了ボタンなどが表示されている。なお、この編集画面では、２人のユーザが同時に編集処理を行うことが可能となるように、編集対象画像表示領域Ａ１、編集ツール選択領域Ａ２、編集ツール設定領域Ａ３、および消しゴムツール選択領域Ａ４が画面の左右に分かれて２カ所表示されている。
【０１１９】
編集対象画像表示領域Ａ１は、編集対象画像選択領域Ａ５において選択された撮影画像が表示されるとともに、この領域において画像の描画、貼り付けなどの編集処理が行われる。編集ツール選択領域Ａ２は、編集処理で用いられる各種編集ツールの選択を受け付ける領域である。編集ツールとしては、ユーザの入力軌跡に対応した線画像の描画が行われるペンツールおよび手書きツール、所定の画像をユーザによって指定された編集対象画像上の位置に貼り付けるスタンプツールおよびコロコロツール、および、特殊な効果を有するスペシャルツールなどが挙げられる。ここで選択されたツールの詳細な設定が編集ツール設定領域Ａ３において行われる。消しゴムツール選択領域Ａ４は、編集処理によって撮影画像に対して付加された編集画像を消去する消しゴムツールの消去領域の大きさが選択される領域である。動画プレビューボタンＡ６は、動画表示可能な編集画像を動画で表示する状態と静止画で表示する状態とを切り替えるためのボタンである。
【０１２０】
本実施形態では、上記の編集ツールの中に、動きを伴った画像（動画編集画像）を編集することを可能とする動画対象ツールが含まれているものとしている。動画対象ツールは、大きく分けて２種類のツールが挙げられる。第１の動画対象ツールは、スタンプツールおよびコロコロツールなどに対応するものであり、ユーザによって指定された編集対象画像上の位置に、ユーザによって選択された所定の動画像を配置する所定動画配置ツールである。第２の動画対象ツールは、ペンツールおよび手書きツールなどに対応するものであり、ユーザの入力軌跡に対応した線画像を動画表示する手書き動画生成ツールである。
【０１２１】
なお、どのペンツールやスタンプツールが動画表示されるものであるかについてはユーザには明示されない構成としてもよいし、例えば、スペシャルツールに含まれるツールを全て動画表示されるものとする構成としてもよい。また、編集ツール設定領域Ａ３上部に並ぶタブ（『ノーマル』や『未定』が並ぶタブ）に『動く』というタブを設置し、当該タブ内に動画表示されるツールが格納するようにしてもよい。
【０１２２】
所定動画配置ツールによる描画は、次のように実現される。まず、編集用画像記録部５２に、複数のレイヤからなる所定の動画画像データが種類毎に記録されている。各動画画像データに含まれる複数のレイヤの画像データは互いに異なる画像データからなり、これらのレイヤが切り替えられて表示されることによって動画表示が実現される。
【０１２３】
ユーザによって特定の動画画像データが選択されると、画像編集部１２は、該当動画画像データを編集用画像記録部５２から作業メモリ上に読み出す。その後、ユーザによって編集対象画像上の位置が指定されると、画像編集部１２は、該動画画像データに含まれる複数のレイヤのデータを、編集対象画像に含まれる複数の編集レイヤのそれぞれの該当位置に配置する処理を行う。また、画像編集部１２は、動画画像データを特定する情報、および、該動画画像データの配置位置情報を、該当編集対象画像に対する編集画像情報として合成画像情報記録部５３に記録する。
【０１２４】
手書き動画生成ツールによる描画は、次のように実現される。まず、編集用画像記録部５２に、ユーザの入力軌跡に応じて描画される動画線画像データが種類毎に記録されている。ここで、動画線画像データは複数のレイヤのデータを含んでいる。各レイヤのデータは互いに異なる線画像を描画するためのデータとなっており、これらのレイヤが切り替えられて表示されることによって動画表示が実現される。
【０１２５】
ユーザによって特定の動画線画像データが選択されると、画像編集部１２は、該当動画線画像データを編集用画像記録部５２から作業メモリ上に読み出す。その後、ユーザによって編集対象画像に対する入力軌跡が入力されると、画像編集部１２は、まずその入力軌跡の位置情報を作業メモリに記録する。その後、画像編集部１２は、該動画線画像データに含まれる複数のレイヤのデータに基づいて、編集対象画像に含まれる複数の編集レイヤのそれぞれに、入力軌跡の位置情報に対応した線画像を配置する処理をおこなう。また、画像編集部１２は、動画線画像データを特定する情報、および、入力軌跡の位置情報を、該当編集対象画像に対する編集画像情報として合成画像情報記録部５３に記録する。
【０１２６】
図１８は、ユーザの入力軌跡に応じて動画線画像データが各編集レイヤに描画される状態を示している。同図に示す例では、ユーザから描画入力が行われると、編集レイヤＬＥＡおよび編集レイヤＬＥＢの両方に対して、互いに異なるデザインの線画像が描画されている。同図に示す例では、線画像において、縁取り画像がつけられたものとそうでないものとで切り替えられることによって動画表示が実現されている。その他、線画像の動画表示の例としては、線画像の色、模様、形状、および位置などの少なくともいずれか一つが変化するようになっている例が挙げられる。
【０１２７】
なお、動画表示されない動画対象外ツールによって編集処理が行われた場合には、画像編集部１２は、編集対象画像に含まれる複数の編集レイヤのそれぞれに、該当動画対象外ツールに対応する同じ画像を配置するようにすればよい。これにより、各編集レイヤの表示・非表示が切り替えられたとしても、動画対象外ツールに対応する画像は変化しないことになる。
【０１２８】
（ソフトウェアによる構成）
上記写真撮影プリント装置１が備える制御部１０は、ハードウェアロジックによって構成してもよいし、次のようにＣＰＵを用いてソフトウェアによって実現してもよい。
【０１２９】
すなわち、制御部１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである制御部１０の制御プログラムのプログラムコード（実行形式プログラム、中間コードプログラム、ソースプログラム）をコンピュータで読み取り可能に記録した記録媒体を、上記制御部１０に供給し、そのコンピュータ（またはＣＰＵやＭＰＵ）が記録媒体に記録されているプログラムコードを読み出し実行することによっても、達成可能である。
【０１３０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３１】
また、制御部１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３２】
（管理サーバシステムの構成）
次に、管理サーバシステム２００の構成について、図１９を参照しながら説明する。同図に示すように、管理サーバシステム２００は、ＦＴＰサーバ２０１、登録処理サーバ２０２、画像ファイルサーバ２０３、付加情報ファイルサーバ２０４、ＷＥＢサーバ２０５、およびメール送信サーバ２０６を備えた構成となっている。
【０１３３】
ＦＴＰサーバ２０１は、写真撮影プリント装置１から送られてくる合成画像情報、および、付加情報を受信する処理を行うファイル転送サーバである。本実施形態では、写真撮影プリント装置１との間でデータ通信を行う際のプロトコルとして、ＦＴＰ（File Transfer Protocol）が用いられることを想定しているが、特にこれに限定されるものではない。ＦＴＰサーバ２０１で受信されたデータは、登録処理サーバ２０２に伝送される。なお、写真撮影プリント装置１が広い地域にわたって多数設置されている場合には、ＦＴＰサーバ２０１を複数設けることによって、データ伝送処理を分散させるようにしてもよい。
【０１３４】
登録処理サーバ２０２は、ＦＴＰサーバ２０１から受信した合成画像情報を画像ファイルサーバ２０３に送信するとともに、付加情報を付加情報ファイルサーバ２０４に送信する処理を行う。ここで、登録処理サーバ２０２は、付加情報を付加情報ファイルサーバ２０４に送信する際に、該付加情報に対応する合成画像情報を特定する画像特定情報も送信する。これにより、付加情報ファイルサーバ２０４には、付加情報と、それに対応する合成画像情報を特定する画像特定情報との組合せの情報がデータベースとして記録されることになる。
【０１３５】
また、登録処理サーバ２０２は、合成画像情報を画像ファイルサーバ２０３に送信する際に、該合成画像情報に対応する付加情報のうち、ユーザを特定する情報も送信する。これにより、画像ファイルサーバ２０３には、各ユーザに対応するフォルダ内に、該ユーザに対応する合成画像情報を記録したデータベースが記録されることになる。なお、画像ファイルサーバ２０３は、受信した合成画像情報で示される合成画像の画像サイズを縮小したサムネイル画像を生成し、このサムネイル画像を同じフォルダ内に格納するようにしてもよい。
【０１３６】
また、登録処理サーバ２０２は、付加情報に含まれるメールアドレスに対してＷＥＢサーバ２０５にアクセスするためのＵＲＬ（Uniform Resource Locator）情報（ＷＥＢアドレス）を記した電子メールを生成する処理を行う。生成した電子メールは、メール送信サーバ２０６に送られる。
【０１３７】
画像ファイルサーバ２０３および付加情報ファイルサーバ２０４は、それぞれ登録処理サーバ２０２から受信した情報に基づいてデータベースを構築し、該データベースを記録・保管するファイルサーバである。なお、画像ファイルサーバ２０３および付加情報ファイルサーバ２０４は、このようにファイルサーバの形式で実現してもよいし、画像ファイル記録装置および付加情報記録装置として、登録処理サーバ２０２が利用する記録媒体によって構成されてもよい。
【０１３８】
メール送信サーバ２０６は、登録処理サーバ２０２から受信した電子メールを送信する処理を行う。ここで指定されるメールアドレスは、基本的には携帯電話機３００のメールアドレスであるので、メール送信サーバ２０６は、上記のメールを携帯電話機３００に対して送信することになる。
【０１３９】
ＷＥＢサーバ２０５は、携帯電話機３００からのアクセスに対して、ＷＥＢページの形式で、画像ファイルサーバ２０３に記録されている合成画像情報を提供するサーバ装置である。また、ＷＥＢサーバ２０５は、付加情報や画像特定情報を、付加情報ファイルサーバ２０４から読み込み、引き出す処理を行う。このＷＥＢサーバ２０５における処理の詳細については後述する。
【０１４０】
なお、本実施形態では、管理サーバシステム２００が、複数のサーバ装置、すなわち、ＦＴＰサーバ２０１、登録処理サーバ２０２、画像ファイルサーバ２０３、付加情報ファイルサーバ２０４、ＷＥＢサーバ２０５、およびメール送信サーバ２０６を備えた構成となっているが、これらのサーバ装置のうち、複数のサーバ装置によって実現される機能が、１つのサーバ装置が有する機能によって実現される構成としてもよい。
【０１４１】
（ＷＥＢサーバの構成）
次に、ＷＥＢサーバ２０５の構成について図２０を参照しながら以下に説明する。同図に示すように、ＷＥＢサーバ２０５は、データ取得部６１、合成処理部６２、ＷＥＢサーバ処理部６３、および合成用画像記憶部６４を備えた構成となっている。
【０１４２】
ＷＥＢサーバ処理部６３は、インターネット上でＷＥＢページを提供する処理を行う。具体的には、ＷＥＢサーバ処理部６３は、携帯電話機３００からのＷＥＢアクセスに応じて、合成画像データの提供に関するＷＥＢページのページデータを送信するとともに、合成画像データの提供に必要とされる情報を携帯電話機３００から受け付ける処理を行う。この携帯電話機３００から受け付ける合成画像データの提供に必要とされる情報とは、携帯電話機３００で実行できるオプション処理の情報等の、携帯電話機の機種の情報である。
【０１４３】
データ取得部６１は、ＷＥＢサーバ処理部６３によるＷＥＢページの提供に必要とされる合成画像情報および付加情報、および、合成処理部６２による合成処理に必要とされる合成画像情報を、画像ファイルサーバ２０３および付加情報ファイルサーバ２０４から取得する処理を行う。
【０１４４】
合成処理部６２は、ＷＥＢサーバ処理部６３によって提供される合成画像データを生成する処理を行う。具体的には、合成処理部６２は、合成画像情報に基づいて、ＷＥＢサーバ処理部６３において提供することが可能な形式の合成画像データを生成する。ここでの合成処理は、合成画像情報に含まれるデータのみを用いて行われてもよいし、合成用画像記憶部６４に記憶されている合成用画像データを利用して行われてもよい。
【０１４５】
合成用画像記憶部６４には、合成処理部６２による合成処理に供される画像（スタンプ画像、静止画フレーム画像、動画フレーム画像等）が格納されている。例えば、処理対象の合成画像情報に、スタンプの識別情報と、動画フレーム識別情報（オプション処理を識別するための識別情報）とが含まれている場合には、その識別情報に対応するスタンプ画像、および動画フレーム画像が合成用画像記憶部６４から読み出され、上記合成画像情報と共に、合成処理部６２による合成処理が行われる。
【０１４６】
（合成画像情報・付加情報受信時の管理サーバシステムの処理の流れ）
次に、管理サーバシステム２００が、写真撮影プリント装置１から合成画像情報および付加情報を受信した際の処理の流れについて図２１に示すフローチャートを参照しながら以下に説明する。
【０１４７】
まずＳ２１において、ＦＴＰサーバ２０１は、写真撮影プリント装置１から合成画像情報、および、付加情報の受信を待機する。そして、Ｓ２２において、合成画像情報、および、付加情報のデータが受信されると、ＦＴＰサーバ２０１は、受信したデータを、登録処理サーバ２０２に伝送し、登録処理サーバ２０２が、ＦＴＰサーバ２０１から受信した合成画像情報を画像ファイルサーバ２０３に送信するとともに、付加情報を付加情報ファイルサーバ２０４に送信する処理を行う。これにより、合成画像情報および付加情報が管理サーバシステム２００において登録されることになる（Ｓ２３）。
【０１４８】
また、登録処理サーバ２０２は、付加情報にメールアドレス情報が含まれているか否かを判定し（Ｓ２４）、含まれている場合には、該メールアドレスに対してＷＥＢサーバ２０５にアクセスするためのＵＲＬ（Uniform Resource Locator）情報（ＷＥＢアドレス）を記した電子メールを生成する処理を行う。生成した電子メールは、メール送信サーバ２０６に送られる。そして、メール送信サーバ２０６は、登録処理サーバ２０２から受信した電子メールを送信する処理を行う（Ｓ２５）。
【０１４９】
（ＷＥＢサーバにおける処理の流れ）
次に、ＷＥＢサーバ２０５における処理の流れについて図２２に示すフローチャートを参照しながら説明する。まず、Ｓ３１において、ＷＥＢサーバ処理部６３が、携帯電話機３００からＷＥＢアクセスを受け付ける。ここで、携帯電話機３００は、メール送信サーバ２０６から受信した電子メールに記載されているＷＥＢアドレスに基づいてＷＥＢアクセスを行うことになる。
【０１５０】
次に、Ｓ３２において、ＷＥＢサーバ処理部６３は、アクセスしてきた携帯電話機３００を特定する。ＷＥＢサーバ処理部６３は、アクセスしてきた携帯電話機３００に対応する付加情報に含まれる機種情報を付加情報ファイルサーバ２０４から取得する。あるいは、アクセスしてきた携帯電話機３００に対応する機種情報を直接携帯電話機３００から取得してもよい。そして、取得した機種情報に基づいて、該携帯電話機３００に対応したインフォメーションページを該携帯電話機３００に対して送信する（Ｓ３３）。
【０１５１】
なお、上記の例では、メール送信サーバ２０６から送られる電子メールに記載されているＷＥＢアドレスは、携帯電話機３００のユーザのメールアドレスに対応するインフォメーションページを示すＷＥＢアドレスとなっていることが想定されている。すなわち、Ｓ３２およびＳ３３は、携帯電話機３００からのＷＥＢアクセスによって自動的に行われることになる。詳しく説明すると、ＷＥＢサーバ処理部６３は、Ｓ３２において、アクセスしてきたアドレスによって、携帯電話機３００またはユーザを特定することが可能な情報を取得し、この情報に対応する付加情報を付加情報ファイルサーバ２０４から取得することになる。
【０１５２】
これに対して、電子メールに記載されているＷＥＢアドレスは、ＷＥＢサーバ２０５が提供するＷＥＢページのトップページのＷＥＢアドレスとし、ユーザはこのトップページにおいてメールアドレスなどの個人特定情報（必要に応じてパスワードなど）を入力することによって、個人用のインフォメーションページにアクセスする、という形態であってもよい。すなわち、ＷＥＢサーバ処理部６３は、Ｓ３２において、トップページにおいて入力されたメールアドレスなどの個人特定情報によって、携帯電話機３００またはユーザを特定することが可能な情報を取得し、この情報に対応する付加情報を付加情報ファイルサーバ２０４から取得することになる。
【０１５３】
次に、Ｓ３４において、ＷＥＢサーバ処理部６３は、アクセスしてきた携帯電話機３００が動画表示に対応していない機種であるか否かを判定する。ここで、ＷＥＢサーバ処理部６３は、アクセスしてきた携帯電話機３００に対応する機種情報を、上記のＳ３２での処理で取得してもよいし、アクセス時に携帯電話機３００が送信する機種情報を受信することによって取得してもよいし、アクセスしてきたユーザによって機種情報の入力が行われることによって取得してもよい。そして、上記の判定は、ＷＥＢサーバ処理部６３が、付加情報ファイルサーバ２０４に問い合わせることによって行われる。あるいは、アクセスしてきた携帯電話機３００に対応する機種情報を直接携帯電話機３００から取得してもよい。Ｓ３４においてＹＥＳ、すなわち、動画表示対応機種ではないと判定した場合、Ｓ３５において、ＷＥＢサーバ処理部６３は、動画非対応機種用のページを携帯電話機３００に送信する。ここで、ＷＥＢサーバ処理部６３は、画像ファイルサーバ２０３から該携帯電話機３００のメールアドレス（あるいは、上記電子メールを転送された携帯電話機３００においては、その転送元の携帯電話機３００のユーザのメールアドレス）に対応する合成画像情報のサムネイル画像データを読み出し、該サムネイル画像データを静止画状態のデータとして携帯電話機３００に送信する。
【０１５４】
この場合、携帯電話機３００の表示画面には、携帯電話機３００のユーザのメールアドレス（あるいは、上記電子メールを転送された携帯電話機３００においては、その転送元の携帯電話機３００のユーザのメールアドレス）に対応して画像ファイルサーバ２０３に記録されている、少なくとも１つの合成画像情報に対応する静止画のサムネイル画像が表示される。ここで、表示されているサムネイル画像がリンク形式で表示されており、このサムネイル画像のリンクが選択されると（Ｓ３６）、そのサムネイル画像に対応する合成画像情報が画像ファイルサーバ２０３から読み出され、合成画像情報に基づいて生成される合成画像データが携帯電話機３００に送信される（Ｓ３７）。
【０１５５】
その後、携帯電話機３００から表示形式変更の指示を受信すると（Ｓ３８においてＹＥＳ）、ＷＥＢサーバ処理部６３は、指示に応じて表示形式を変更した合成画像データを携帯電話機３００に送信する。表示形式の変更とは、合成画像データの画素数の変更である。例えば、携帯電話機３００の表示画面のサイズに合わせて、横最大、縦最大、縮小などの画素数変更処理が挙げられる。デフォルトでは、横最大の画素数とした合成画像データが送信される。
【０１５６】
他方、Ｓ３４においてＮＯ、すなわち、動画表示対応機種であると判定した場合、Ｓ４０において、ＷＥＢサーバ処理部６３は、動画対応機種用のページを携帯電話機３００に送信する。ここで、ＷＥＢサーバ処理部６３は、画像ファイルサーバ２０３から該携帯電話機のメールアドレス（あるいは、上記電子メールを転送された携帯電話機３００においては、その転送元の携帯電話機３００のユーザのメールアドレス）に対応する合成画像情報のサムネイル画像データを読み出し、該サムネイル画像データを動画表示可能なものについては動画状態のデータとして携帯電話機３００に送信する。
【０１５７】
この場合、携帯電話機３００の表示画面には、携帯電話機３００のユーザのメールアドレス（あるいは、上記電子メールを転送された携帯電話機３００においては、その転送元の携帯電話機３００のユーザのメールアドレス）に対応する合成画像情報として画像ファイルサーバ２０３に記録されている少なくとも１つの合成画像情報に対応する、動画を含むサムネイル画像が表示される。ここで、表示されているサムネイル画像がリンク形式で表示されている。動画を含まないサムネイル画像が選択された場合（Ｓ４２においてＹＥＳ）、Ｓ３７からの処理が行われる。
【０１５８】
他方、動画を含むサムネイル画像が選択された場合（Ｓ４１においてＹＥＳ）、そのサムネイル画像に対応する合成画像情報が画像ファイルサーバ２０３から読み出され、合成画像情報に基づいて生成される動画を含む合成画像データが携帯電話機３００に送信される（Ｓ４３）。ここで、合成処理部６２が、合成画像情報に基づいて、ＷＥＢサーバ処理部６３において提供することが可能な形式の合成画像データを生成する。つまり、動画像としての合成画像データを生成する。ここでの合成処理は、合成画像情報に含まれるデータのみを用いて行われてもよいし、合成用画像記憶部６４に記憶されている合成用画像データを利用して行われてもよい。また、合成処理部６２は、例えば、日時に応じて合成画像データを変更してもよい。例えば合成画像情報に桜のスタンプ画像の識別情報がある場合、日時（季節）に合わせて、ヒマワリや紅葉のスタンプ画像に換えて合成画像データを生成してもよい。あるいは、動画フレームを日時に合わせて変更して合成画像データを生成してもよい。もちろん、これは単なる例示である。
【０１５９】
（携帯電話機における画像表示）
次に、携帯電話機３００での、管理サーバシステム２００から受信した合成画像データの表示について説明する。携帯電話機３００は、管理サーバシステム２００のメール送信サーバ２０６から電子メールを受信すると、受信した電子メールに記載されているＷＥＢアドレスに基づいてＷＥＢアクセスを行う。電子メールに記載されたＵＲＬをクリックしてアクセスを行うと、例えば図２３（ａ）に示すようなインフォメーションのページが表示される。あるいは、電子メールを受信せず、ＷＥＢサーバ２０５に直接アクセスした場合では、例えば図２３（ｂ）に示すようなユーザの本人確認のページが表示される。この場合、例えばユーザが所持しているシール紙に記載のＩＤを入力させることで、本人確認を行えるようになっているものとする。本人確認はこれ以外の方法、例えば、以前ＷＥＢサーバ利用時に得たＩＤ、写真撮影プリント装置１にて登録した、あるいは写真撮影プリント装置１から取得したＩＤ等による確認であってもよい。これらは単なる例示である。本人確認により、本人であることが確認されると、上記と同様の個人用のインフォメーションページが表示される。
【０１６０】
ＷＥＢサーバ２０５にアクセスし、取得するべき画像がない場合、例えば管理サーバシステム２００での画像保管期間が切れている場合には、例えば図２４（ｃ）に示すような期間切れ説明画面が表示される。また、期間切れ以外の場合には、例えば図２４（ｄ）に示すようなエラー画面が表示される。
【０１６１】
ＷＥＢサーバ２０５にアクセスし、取得するべき画像がある場合で、アクセスしている携帯電話機３００が動画表示対応機種の場合、例えば図２４（ｅ）に示すように、動画像ａとしての合成画像のサムネイル画像ａと静止画像としての合成画像のサムネイル画像ｂとが表示される。他方、アクセスしている携帯電話機３００が動画表示非対応機種の場合、例えば図２４（ｆ）に示すように、静止画像としての合成画像のサムネイル画像ｂのみが表示される。
【０１６２】
アクセスしている携帯電話機３００が動画表示対応機種で、ユーザが動画像の取得を選択すると、図２４（ｇ）に示すように、携帯電話機３００の表示画面に動画像としての合成画像が表示される。ユーザは、この動画像を、いわゆる待ちうけ画面として使用することもできる。
【０１６３】
アクセスしている携帯電話機３００が動画表示対応機種、あるいはアクセスしている携帯電話機３００が動画表示非対応機種で、ユーザが静止画の取得を選択すると、例えば図２４（ｈ）に示すように、携帯電話機３００の表示画面に静止画としての合成画像のサムネイル画像が表示される。さらに、この静止画としての合成画像のサムネイル画像が表示された画面を、ユーザが携帯電話機３００の表示画面の縦幅基準いっぱいに表示したい場合には、それを指示する入力を行えば（表示画面の「タテいっぱい」をクリック）、図２４（ｉ）のように合成画像が縦幅基準いっぱいに表示される。また、他の表示状態で表示させたい場合、それを指示する入力を行えば（表示画面の「見れない場合はコチラ」をクリック）、図２４（ｊ）のように他の状態で表示される。ユーザが静止画の取得を選択すると、携帯電話機３００の表示画面に静止画としての合成画像が表示される。ユーザは、この静止画を、いわゆる待ちうけ画面として使用することができる。
【０１６４】
また、メール送信サーバ２０６から受信した電子メールを、管理サーバシステム２００介して他の携帯電話機３００に転送すると、他の携帯電話機３００においても、この他の携帯電話機３００の機種に応じて、動画像としての合成画像、あるいは静止画としての合成画像が表示される。
【０１６５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる
【産業上の利用可能性】
【０１６６】
本発明は、例えば、ゲームセンターなどの娯楽施設や遊戯施設において、利用者の写真撮影を行うとともに、その撮影画像を装飾画像と合成する写真撮影プリント装置一般に利用することができる。
【図面の簡単な説明】
【０１６７】
【図１】本発明の実施の一形態に係る写真撮影プリント装置の構成を示すブロック図である。
【図２】本発明の実施の一形態に係る合成画像通信システムの構成を示すブロック図である。
【図３】（ａ）及び（ｂ）は、上記写真撮影プリント装置の外観を示す図である。
【図４】上記写真撮影プリント装置の編集部の正面図である。
【図５】上記写真撮影プリント装置の印刷部の正面図である。
【図６】上記写真撮影プリント装置における処理の流れを示すフローチャートである。
【図７】ゲーム選択画面の一例を示す図である。
【図８】メールアドレス入力画面の一例を示す図である。
【図９】静止画像選択画面の一例を示す図である。
【図１０】動画像選択画面の一例を示す図である。
【図１１】合成画像情報の構造の一例を示す図である。
【図１２】（ａ）〜（ｃ）は、それぞれ重ねて表示される編集レイヤの画像の一例を示す図である。
【図１３】編集レイヤを重ねて表示させた合成画像を示す図である。
【図１４】（ａ）は、一方の編集レイヤを非表示し、他方の編集レイヤを表示した状態の表示画面、（ｂ）は、一方の編集レイヤを表示し、他方の編集レイヤを非表示とした状態の表示画面を示す図である。
【図１５】（ａ），（ｂ）は、撮影画像の上に複数の部分撮影画像が表示されるとともに、少なくとも１つの部分撮影画像の位置および角度の少なくとも一方が変化するような動画表示が行われる例を示す図である。
【図１６】明度強調度情報を用いて動画表示が行われる例を示す図である。
【図１７】編集画面の一例を示す図である。
【図１８】各編集レイヤに描画される入力軌跡に応じた動画線画像データについて説明する図である。
【図１９】本発明の実施の一形態に係る合成画像通信システムに含まれる管理サーバシステムの構成を示すブロック図である。
【図２０】本発明の実施の一形態に係る合成画像通信システムに含まれるＷｅｂサーバの構成を示すブロック図である。
【図２１】上記管理サーバシステムの処理の流れを示すフローチャートである。
【図２２】上記Ｗｅｂサーバの処理の流れを示すフローチャートである。
【図２３】（ａ）〜（ｃ）は、携帯電話機がお知らせメールを受信したときの表示画面の例を示す図である。
【図２４】（ａ）〜（ｊ）は、携帯電話機にてＷＥＢサーバにアクセスしたときに表示される画面の例を示す図である。
【符号の説明】
【０１６８】
１      写真撮影プリント装置（写真画像処理装置）
１０    制御部
１２    画像編集部
１４    通信処理部（通信処理手段）
１６    オプション判別部（オプション判別手段）
１７    提示制御部（提示制御手段）
５５    機種情報記録部（機種情報データベース）
１００  合成画像通信システム
２００  管理サーバシステム（サーバ装置）
３００  携帯電話機（通信端末）
Ａ１    編集対象画像表示領域
Ａ２    編集ツール選択領域
Ａ３    編集ツール設定領域
Ａ４    消しゴムツール選択領域
Ａ５    編集対象画像選択領域
Ａ６    動画プレビューボタン
ａ      動画像としての合成画像のサムネイル画像
ｂ      静止画像としての合成画像のサムネイル画像
【図１】
0004453681.tif 000002
【図２】
0004453681.tif 000003
【図３】
0004453681.tif 000004
【図４】
0004453681.tif 000005
【図５】
0004453681.tif 000006
【図６】
0004453681.tif 000007
【図７】
0004453681.tif 000008
【図８】
0004453681.tif 000009
【図９】
0004453681.tif 000010
【図１０】
0004453681.tif 000011
【図１１】
0004453681.tif 000012
【図１２】
0004453681.tif 000013
【図１３】
0004453681.tif 000014
【図１４】
0004453681.tif 000015
【図１５】
0004453681.tif 000016
【図１６】
0004453681.tif 000017
【図１７】
0004453681.tif 000018
【図１８】
0004453681.tif 000019
【図１９】
0004453681.tif 000020
【図２０】
0004453681.tif 000021
【図２１】
0004453681.tif 000022
【図２２】
0004453681.tif 000023
【図２３】
0004453681.tif 000024
【図２４】
0004453681.tif 000025